(57)【要約】【課題】鍵盤側を下側にした縦置き状態で支障なく梱包でき、保管中や輸送中におけるアクション機構などへの悪影響を防止できるとともに、保管および輸送を効率的に行うことができる電子鍵盤楽器の梱包装置および梱包方法を提供する。【解決手段】電子鍵盤楽器２に取り付けられ、電子鍵盤楽器２を鍵盤側が下側に位置する状態で支持するための支持部材４と、支持部材４によって支持された電子鍵盤楽器２を収容するための外箱３と、を備えている。【選択図】  図１
2004323101.tif 000002
【特許請求の範囲】
【請求項１】
電子鍵盤楽器に取り付けられ、当該電子鍵盤楽器を鍵盤側が下側に位置する状態で支持するための支持部材と、
当該支持部材によって支持された電子鍵盤楽器を収容するための外箱と、
を備えていることを特徴とする電子鍵盤楽器の梱包装置。
【請求項２】
前記支持部材は、
前記電子鍵盤楽器に取り付けられ、当該電子鍵盤楽器よりも下方に延びる取付け部と、
当該取付け部の下端部から水平に延び、前記電子鍵盤楽器を自立した状態で支持する支持部と、
を有していることを特徴とする請求項１に記載の電子鍵盤楽器の梱包装置。
【請求項３】
前記電子鍵盤楽器は、
脚と、
当該脚を取り付けるための脚取付け孔を有する鍵盤楽器本体と、を有し、
前記支持部材は、前記脚取付け孔に取付け可能に構成されていることを特徴とする請求項１または２に記載の電子鍵盤楽器の梱包装置。
【請求項４】
外箱を準備する外箱準備工程と、
支持部材を電子鍵盤楽器に取り付ける支持部材取付け工程と、
前記電子鍵盤楽器を前記支持部材によって鍵盤側が下側に位置した状態で支持させる支持工程と、
前記支持部材によって支持された前記電子鍵盤楽器を前記外箱内に収容し梱包する梱包工程と、
を備えていることを特徴とする電子鍵盤楽器の梱包方法。
【発明の詳細な説明】
【０００１】
【発明の属する技術分野】
本発明は、電子鍵盤楽器を輸送や保管などのために梱包する電子鍵盤楽器の梱包装置および梱包方法に関する。
【０００２】
【従来の技術】
従来のアコースティックなグランドピアノの梱包方法として、例えば特許文献１に記載されたものが開示されている。この梱包方法によれば、グランドピアノは、ピアノ本体、３本の脚およびペダル機構が互いに分離した状態で木箱内に収容される。具体的には、ピアノ本体は、平置きの状態で木箱に梱包される。その際、木箱の側板とピアノ本体の低音側の側面の間にクッション材が詰め込まれる。次いで、木箱は、ピアノ本体の低音側の側面が底側になるように縦置きされ、この状態で、木箱の側方からスクリューボルトがピアノ本体の裏面にねじ込まれることにより、ピアノ本体は木箱に固定される。このように、ピアノ本体の低音側の側面を下側にして梱包し、ピアノ本体の前部を下側にして梱包しないのは、ピアノ本体の前部は演奏者と相対するため、外観上、特に重要であるので、その損傷を避けるためである。
【０００３】
上記のように、ピアノ本体の低音側の側面が底側になるように梱包されると、鍵の並び方向に重力が作用する。これに対し、グランドピアノのアクション機構は、その構造上、鍵の並び方向に作用する荷重や振動に対して弱いため、アコースティックなグランドピアノでは、一般に、梱包の際に固定棒が取り付けられる。この固定棒は、アクション機構を取り出した状態で、左右方向に並ぶハンマーを上方から押え付けるように取り付けられる。したがって、例えば輸送中にアクション機構に対して鍵の並び方向に荷重や振動が作用したとしても、アクション機構は、固定棒によって固定されているため、荷重や振動により悪影響を受けることがない。その結果、アクション機構の故障が防止されるので、グランドピアノの演奏に支障を来すことはない。そして、グランドピアノの設置場所において、設置作業の際に固定棒は取り外される。
【０００４】
一方、アクション機構を有するグランド型の電子ピアノなどの場合には、アコースティックなピアノと異なり、鍵盤およびアクション機構の付近には、これらに加えて操作パネルや配線なども配置されている。このため、これらの操作パネルや配線などが邪魔になり、アクション機構などを容易に取り出せないため、前述した固定棒を容易に取り付けることができない。このため、グランド型の電子ピアノの場合には、一般には、固定棒を取り付けることなく梱包され、保管中や短時間の輸送に際しては、鍵盤の低音側の側部が下側に位置するように縦置きされる。一方、長時間の輸送に際しては、電子ピアノは、アクション機構に対する悪影響を排除するために、縦置きではなく、平置き状態で梱包される。
【０００５】
【特許文献１】
特開昭５４−２６１８６号公報  （第４頁、第５、６図）
【０００６】
【発明が解決しようとする課題】
しかし、上述した従来のアクション機構を有する電子ピアノなどの梱包方法には、以下のような問題がある。すなわち、固定棒が取り付けられていないため、保管中や短時間の輸送の際には、アクション機構に対し、荷重や振動が鍵の並び方向に作用する。このため、その荷重や振動がアクション機構に悪影響をおよぼし、電子ピアノが設置された後、アクション機構の動作に問題が生じるおそれがある。また、長時間の輸送の際には、電子ピアノは平置き状態で梱包されるため、鍵の並び方向には荷重や振動があまり作用しないものの、電子ピアノが占有するスペースが大きくなり、効率的な輸送を行うことができない。
【０００７】
本発明は、このような課題を解決するためになされたものであり、鍵盤側を下側にした縦置き状態で支障なく梱包でき、保管中や輸送中におけるアクション機構などへの悪影響を防止できるとともに、保管および輸送を効率的に行うことができる電子鍵盤楽器の梱包装置および梱包方法を提供することを目的としている。
【０００８】
【課題を解決するための手段】
この目的を達成するために、本発明の請求項１に係る発明は、電子鍵盤楽器に取り付けられ、電子鍵盤楽器を鍵盤側が下側に位置する状態で支持するための支持部材と、支持部材によって支持された電子鍵盤楽器を収容するための外箱と、を備えていることを特徴とする。
【０００９】
この電子鍵盤楽器の梱包装置によれば、電子鍵盤楽器は、これに取り付けられた支持部材によって、鍵盤側が下側に位置する状態で、すなわち、通常の設置状態での前後方向が上下方向になるように支持されるとともに、この状態で外箱内に収容され、梱包される。それにより、電子鍵盤楽器は縦置きされた状態になる。
【００１０】
このため、梱包される電子鍵盤楽器が、例えばアクション機構を有するグランド型電子ピアノの場合、電子ピアノが梱包された状態では、重力は、鍵の並び方向に対してほぼ直交する方向（通常の設置状態における前後方向）に作用する。すなわち、アクション機構に対して鍵の並び方向に荷重や振動がほとんど作用せず、したがって、アクション機構に悪影響がおよぶことがない。その結果、電子ピアノが設置された後にアクション機構の動作に問題が生じることを確実に回避できる。また、同じ理由により、梱包された電子ピアノを、保管中や短時間の輸送時はもちろん、長時間の輸送時においても縦置きすることができるので、電子ピアノが占有する設置スペースを削減でき、保管および輸送を効率的に行うことができる。
【００１１】
また、例えば、電子鍵盤楽器がグランド型のものである場合、弦などは設けられておらず、内蔵された構成部品の大部分は、通常、鍵盤側に集中して配置されているため、重心の位置もまた鍵盤側に偏っている。そのため、鍵盤側が下側に位置する状態で梱包することにより、重心の位置が、より設置面に近づき、低くなる。その結果、縦置きされた状態での電子鍵盤楽器の安定性が確保され、輸送中に転倒するなどして損傷するのを防止することができる。
【００１２】
請求項２に係る発明は、請求項１に記載の電子鍵盤楽器の梱包装置において、支持部材は、電子鍵盤楽器に取り付けられ、電子鍵盤楽器よりも下方に延びる取付け部と、取付け部の下端部から水平に延び、電子鍵盤楽器を自立した状態で支持する支持部と、を有していることを特徴とする。
【００１３】
この電子鍵盤楽器の梱包装置によれば、電子鍵盤楽器は、その下方に、すなわち通常の設置状態における前方に延びる取付け部と、取付け部の下端部から水平に延びる支持部とを有する支持部材によって、自立するように支持される。また、取付け部が下方に延びているため、電子鍵盤楽器は、その支持部材によって支持された状態では、その前部と設置面の間に間隙が生じる。
【００１４】
このように、電子鍵盤楽器は、設置面から浮いた状態で支持されるので、その前部を下側にしても、前部が外箱に接触したり、外箱を介して外力を受けたりしない。したがって、電子鍵盤楽器の前部を構成する口棒や腕木などの部材が、外箱などに押し付けられたり擦れたりすることがないので、外観上、最も重要な部分の１つである前部が損傷するのを、確実に回避できる。
【００１５】
また、通常、電子鍵盤楽器の脚は、設置場所において電子鍵盤楽器の底面に取り付けられる。したがって、上記のように電子鍵盤楽器が自立した状態のままで脚を取り付けることができ、それにより、脚の取付けを効率的かつ容易に行うことができる。
【００１６】
本発明の請求項３に係る発明は、請求項１または２に記載の電子鍵盤楽器の梱包装置において、電子鍵盤楽器は、脚と、脚を取り付けるための脚取付け孔を有する鍵盤楽器本体と、を有し、支持部材は、脚取付け孔に取付け可能に構成されていることを特徴とする。
【００１７】
この電子鍵盤楽器の梱包装置によれば、支持部材は、電子鍵盤楽器の脚取付け孔を用いて取り付けられる。この脚取付け孔は、脚を取り付けるための既存の構成部分であり、電子鍵盤楽器を安定して支持するのに十分な強度を本来的に有している。このような既存の脚取付け孔を利用し、支持部材を取り付けることにより、支持部材の取付けのためだけに必要で、設置後には不要になる孔の加工を省略できる。また、脚取付け孔は十分な強度を有しているため、これに支持部材を取り付けることにより、十分な支持強度を確保でき、例えば輸送時に外力が電子鍵盤楽器に作用しても、脚取付け孔の破損により電子鍵盤楽器が転倒することはなく、これを安定した状態で支持することができる。
【００１８】
さらに、前記目的を達成するため、本発明の請求項４に係る発明は、外箱を準備する外箱準備工程と、支持部材を電子鍵盤楽器に取り付ける支持部材取付け工程と、電子鍵盤楽器を支持部材によって鍵盤側が下側に位置した状態で支持させる支持工程と、支持部材によって支持された電子鍵盤楽器を外箱内に収容し梱包する梱包工程と、を備えていることを特徴とする。
【００１９】
この梱包方法によれば、請求項１の電子鍵盤楽器の梱包装置による前述した作用を得ることができる。
【００２０】
【発明の実施の形態】
以下、図面を参照しながら、本発明の実施形態を詳細に説明する。図１および２は、本発明を適用した梱包装置１、およびこれによって梱包されたグランド型の電子ピアノ２（電子鍵盤楽器）を示している。この梱包装置１は、電子ピアノ２を収容した外箱３と、電子ピアノ２に取り付けられ、これを支持する例えば２つの支持部材４、４とを備えている。
【００２１】
電子ピアノ２は、ピアノ本体２ａ（鍵盤楽器本体）、３本の脚およびペダル機構（ともに図示せず）などによって構成されている。ピアノ本体２ａ内には、左右方向（図２の奥行き方向）に並設された多数の鍵２ｆ（１つのみ図示）および押鍵時に擬似打弦動作を行うアクション機構２ｂが設けられている。また、ピアノ本体２ａには、３本の脚を取り付けるための複数の脚取付け孔２ｃが形成されている。具体的には、これらの脚取付け孔２ｃは、ピアノ本体２ａの底面の棚板２ｄおよび脚持２ｅに形成されており、棚板２ｄには、左右の脚を取り付けるための各２つの脚取付け孔２ｃ、２ｃが、電子ピアノ２の奥行き方向（図２の上下方向）に所定の間隔で並ぶように形成されている。また、脚持２ｅには、その中央に奥側の脚を取り付けるための２つの脚取付け孔２ｃ、２ｃが、左右方向に所定の間隔で並ぶように形成されている。各脚取付け孔２ｃには、ナット１０ａが設けられており、電子ピアノ２の設置場所において、脚に通したボルト１０ｂを、棚板２ｄまたは脚持２ｅを介してナット１０ａにねじ込むことにより、脚がピアノ本体２ａに固定される。
【００２２】
電子ピアノ２は、ピアノ本体２ａ、３本の脚およびペダル機構に分解された状態で外箱３内に収容されており、この外箱３は、ピアノ本体２ａが固定されたスキット５と、スキット５に被せられた木箱６によって構成されている。スキット５は、荷物積載運搬用の単面形パレットで、例えば井げた状に組み立てた複数の木材によって構成されている。また、木箱６は、複数の木材を組み立てたものであり、前板部６ａ、背板部６ｂ、左右の側板部６ｃ、６ｃ（１つのみ図示）、および天板部６ｄなどによって一体に構成されている。木箱６の前板部６ａ、背板部６ｂおよび両側板部６ｃ、６ｃは、スキット５上の所定の位置に載置され、これらの各下端部が、スキット５の外縁部に固定されている。また、外箱３の内部空間の幅および奥行きは、いずれもピアノ本体２ａよりもわずかに大きくなっており、高さは、ピアノ本体２ａの奥行き方向の長さよりも、所定の長さだけ、大きくなっている。
【００２３】
支持部材４は、例えば鋼材によって構成され、図３に示すように、ピアノ本体２ａに取り付けられた取付け部７と、スキット５に取り付けられた支持部８とから、全体としてＬ字形に形成されている。取付け部７は板状で、上下方向に延びており、その上部には、上下２つのボルト孔７ａ、７ａが並んで形成されている。両ボルト孔７ａ、７ａ間の距離は、前述した棚板２ｄの奥行き方向に並んだ脚取付け孔２ｃ、２ｃ間の距離と同じに設定されている。
【００２４】
支持部８は、取付け部７の下端部から、ほぼ直角に前方（図２の左方）に水平に延びており、取付け部７と同様に板状に形成されている。また、その前側には、前後２つのボルト孔８ａ、８ａが並んで形成されている。また、取付け部７および支持部８の接続部には、補強用のリブ９が、両者７、８と一体に設けられている。
【００２５】
このような支持部材４は、ピアノ本体２ａの棚板２ｄの左右の脚取付け孔２ｃ、２ｃに、これらを利用してそれぞれ取り付けられており、各支持部材４は、取付け部７の取付け孔７ａ、７ａに通した２つのボルト１０ｂ、１０ｂを、棚板２ｄの２つの脚取付け孔２ｃ、２ｃのナット１０ａ、１０ａにそれぞれねじ込むことにより、ピアノ本体２ａに固定されている。また、このように固定された状態では、取付け部７はピアノ本体２ａから下方に突出している。また、各支持部材４は、スキット５の設置面Ｆ上に載置されており、この状態で２つのボルト１０ｂ、１０ｂを、支持部８のボルト孔８ａ、８ａおよびスキット５の支持板５ａを介して、支持板５ａの裏側のナット１０ｂにねじ込むことにより、スキット５に固定されている。以上のように、ピアノ本体２ａは、２つの支持部材４、４によって、スキット５の設置面Ｆとの間に間隙Ｖ２を存する状態で、設置面Ｆ上に支持されている。
【００２６】
また、図示しないが、３本の脚およびペダル機構は、外箱３とピアノ本体２の間の間隙Ｖ１またはＶ２に配置され、ピアノ本体２ａと接触しないように、例えば天板部６ｄや側板部６ｃなどに固定された状態で、外箱３内に収容されている。
【００２７】
次いで、上述した梱包装置１による電子ピアノ２の梱包方法について説明する。図４（ａ）に示すように、まず、２つの支持部材４、４を、前述したようにボルト１０ｂなどによって、ピアノ本体２ａの左右の脚取付け孔２ｃ、２ｃにそれぞれ取り付ける。次いで、同図（ｂ）に示すように、外箱３のスキット５を準備し、このスキット５の設置面Ｆ上の所定の位置に、支持部材４、４を取り付けたピアノ本体２ｃを、支持部材４、４の支持部８、８を介して載置する。この状態で、各支持部８を、前述したようにボルト１０ｂなどによってスキット５に固定する。これにより、ピアノ本体２ａは、鍵盤側が下側に位置した状態で、支持部材４、４により、設置面Ｆとの間に間隙Ｖ２を存する状態で、設置面Ｆ上に支持される。
【００２８】
これと並行して、前板部６ａを除いて木箱６を組み立てて準備し、３本の脚およびペダル機構を、天板部６ｄや側板部６ｃなどの所定の位置にそれぞれ固定する。この所定の位置は、木箱６をスキット５に載置したときに、３本の脚およびペダル機構が、ピアノ本体２ａと接触しない位置、例えば前述した間隙Ｖ１、Ｖ２に位置するように設定されている。次いで、同図（ｃ）に示すように、３本の脚およびペダル機構を固定した木箱６をスキット５に載置した後、前板部６ａを木箱６に取り付ける。このとき、必要に応じて間隙Ｖ１などに緩衝材（図示せず）が同梱される。そして、木箱６の下端部をスキット５に固定し、電子ピアノ２の梱包を完了する。
【００２９】
以上のように、本実施形態の梱包装置１によれば、これに梱包された電子ピアノ２のピアノ本体２ａに対し、重力は、鍵２ｆの並び方向に対してほぼ直交する方向に作用する。すなわち、アクション機構２ｂに対して鍵２ｆの並び方向に荷重や振動がほとんど作用せず、したがって、アクション機構２ｂに悪影響がおよぶことがない。その結果、電子ピアノ２が設置された後にアクション機構２ｂの動作に問題が生じることを確実に回避できる。また、同じ理由により、梱包された電子ピアノ２のピアノ本体２ａを、保管中や短時間の輸送時はもちろん、長時間の輸送時においても縦置きすることができるので、電子ピアノ２が占有する設置スペースを削減でき、保管および輸送を効率的に行うことができる。
【００３０】
また、例えば、電子ピアノ２のピアノ本体２ａには、弦などは設けられておらず、内蔵された構成部品の大部分は、鍵盤側に集中して配置されているため、重心の位置もまた鍵盤側に偏っている。そのため、鍵盤側が下側に位置する状態で梱包することにより、重心の位置が、より設置面Ｆに近づき、低くなる。その結果、縦置きされた状態での電子ピアノ２の安定性が確保され、輸送中に転倒するなどして損傷するのを防止することができる。
【００３１】
また、ピアノ本体２ａは、設置面Ｆから浮いた状態で支持されるので、その前部を下側にしても、前部が外箱３に接触したり、外箱３を介して外力を受けたりしない。したがって、電子ピアノ２の前部を構成する口棒や腕木などの部材が、外箱３などに押し付けられたり擦れたりすることがないので、外観上、最も重要な部分の１つである前部が損傷するのを、確実に回避できる。
【００３２】
さらに、支持部材４は、ピアノ本体２ａの脚取付け孔２ｃを用いて取り付けられる。この脚取付け孔２ｃは、脚を取り付けるための既存の構成部分であり、ピアノ本体２ａを安定して支持するのに十分な強度を本来的に有している。このような既存の脚取付け孔２ｃを利用し、支持部材４を取り付けることにより、支持部材４の取付けのためだけに必要で、設置後には不要になる孔の加工を省略できる。また、脚取付け孔２ｃは十分な強度を有しているため、これに支持部材４を取り付けることにより、十分な支持強度を確保でき、例えば輸送時に外力がピアノ本体２ａに作用しても、脚取付け孔２ｃの破損によりピアノ本体２ａが転倒することはなく、これを安定した状態で支持することができる。
【００３３】
なお、本発明は、上述した実施形態に限定されることなく、種々の態様で実施することができる。例えば、実施形態では、支持部材４を脚取付け孔２ｃに取り付けることにより、ピアノ本体２ａを支持しているが、これに限定されることなく、ピアノ本体２ａの別の位置に支持部材４を取り付けてもよい。この場合、支持部材４の取付けのための加工を、ピアノ本体２ａに施す必要があるものの、設置場所において、木箱６を取り外したときに、各脚取付け孔２ｃは露出した状態になる。したがって、脚の取り付け作業を、支持部材４を取り外すことなくピアノ本体２ａが自立した状態のままで、効率的かつ容易に行うことができる。
【００３４】
また、実施形態は、支持部材４として、前述したようにＬ字形の部材を用いた例であるが、これに限定されることなく、電子ピアノ２が梱包されているときに、ピアノ本体２ａを設置面Ｆから浮いた状態で支持できるものであればよい。例えば、支持部材４として、その支持部８およびリブ９を省略し、取付け部７のみで構成したものを用いてもよい。さらに、実施形態では、梱包装置１を、グランド形の電子ピアノ２の梱包装置として説明したが、これに限定されることなく、他のタイプの電子鍵盤楽器の梱包装置として用いてもよい。その他、細部の構成を、本発明の趣旨の範囲内で適宜、変更することが可能である。
【００３５】
【発明の効果】
以上のように、本発明の電子鍵盤楽器の梱包装置および梱包方法は、鍵盤側を下側にした縦置き状態で支障なく梱包でき、保管中や輸送中におけるアクション機構などへの悪影響を防止できるとともに、保管および輸送を効率的に行うことができるなどの効果を有する。
【図面の簡単な説明】
【図１】電子ピアノの梱包装置およびこれによって梱包された電子ピアノを示す斜視図である。
【図２】図１に対応する側面図である。
【図３】支持部材を示す斜視図である。
【図４】電子ピアノの梱包手順を示す図であり、（ａ）ピアノ本体に支持部材を取り付けた状態、（ｂ）ピアノ本体を支持部材によって支持した状態、および（ｃ）電子ピアノの梱包が完了した状態をそれぞれ示す。
【符号の説明】
１    梱包装置
２    電子ピアノ（電子鍵盤楽器）
２ａ  ピアノ本体（鍵盤楽器本体）
２ｃ  脚取付け孔
３    外箱
４    支持部材
７    取付け部
８    支持部
【図１】
2004323101.tif 000003
【図２】
2004323101.tif 000004
【図３】
2004323101.tif 000005
【図４】
2004323101.tif 000006